(57)【要約】【課題】内径側環状壁に向かうころの傾きを規制してポケットからころが脱落する不具合を防止することができるスラストころ軸受を提供する。【解決手段】外径側環状壁１２、内径側環状壁１３、複数の柱部１５、ポケット２０、抜止突部１７、１９と、を備えて保持器１１が構成され、各ポケット２０内にころ１０が抜止突部１７、１９によって係止された状態で回転可能に保持される。外径側環状壁１２の内周面とポケット２０の外径側端面２１との間の距離寸法Ａよりも内径側環状壁１３の外周面とポケット２０の内径側端面２２との間の距離寸法Ｂが小さく設定されることによって、ころ１０の傾きを内径側環状壁１３によって規制する構成にしてある。【選択図】図２
2008115931.tif 000002
【特許請求の範囲】
【請求項１】
外径側環状壁と、内径側環状壁と、これら両環状壁の周方向に所定間隔を隔てて掛け渡された複数の柱部と、前記隣接する柱部の間に形成されたポケットと、前記隣接する柱部の相対する面から前記ポケット内に向けて突出された抜止突部と、を備えて保持器が構成され、前記各ポケット内にころが前記抜止突部によって係止された状態で回転可能に保持されたスラストころ軸受であって、
前記外径側環状壁の内周面と前記ポケットの外径側端面との間の距離寸法よりも前記内径側環状壁の外周面と前記ポケットの内径側端面との間の距離寸法が小さく設定されることによって、前記ころの傾きを前記内径側環状壁によって規制する構成にしてあることを特徴とするスラストころ軸受。
【発明の詳細な説明】
【技術分野】
【０００１】
この発明はスラストころ軸受に関する。
【背景技術】
【０００２】
従来、図５と図６に示すように、スラストころ軸受（例えば、スラスト針状ころ軸受）の保持器１１１は、外径側環状壁１１２と、内径側環状壁１１３と、これら両環状壁１１２、１１３の周方向に所定間隔を隔てて掛け渡された複数の柱部１１５とを備えて断面略Ｍ字状に形成されている。そして、隣接する柱部１１５の間にはポケット１２０が形成され、隣接する柱部１１５の相対する面の径方向中間部と径方向両端部からポケット１２０内に向けて抜止突部１１７、１１９がそれぞれ突出されている。
さらに、保持器１１１の中心とポケット１２０の中心線を結ぶ線Ｌ’上において、外径側環状壁１１２の内周面とポケット１２０の外径側端面１２１との間の距離寸法Ａ’と、内径側環状壁１１３の外周面とポケット１２０の内径側端面１２２との間の距離寸法Ｂ’とが同じ大きさに設定され、各ポケット１２０内に、ころ（例えば、針状ころ）１１０が抜止突部１１７、１１９によって係止された状態で回転可能に保持された構造のものが知られている。
また、この種のスラストころ軸受においては、例えば、特許文献１に開示されている。
【特許文献１】特開２００６−１７０３６９号公報
【発明の開示】
【発明が解決しようとする課題】
【０００３】
ところで、図５と図６に示すように、保持器１１１の中心とポケット１２０の中心線を結ぶ線Ｌ’上において、外径側環状壁１１２の内周面とポケット１２０の外径側端面１２１との間の距離寸法Ａ’と、内径側環状壁１１３の外周面とポケット１２０の内径側端面１２２との間の距離寸法Ｂ’とが同じ大きさに設定された従来のスラストころ軸受においては、ポケット１２０の内径側端面１２２の周方向両縁１２２ａが内径側環状壁１１３の外周面から僅かではあるが遠ざかる一方、ポケット１２０の外径側端面１２１の周方向両縁１２１ａが外径側環状壁１１２の内周面に僅かではあるが近づく。
言い換えると、ポケット１２０に保持されたころ１１０の内径側端面１１０ａの周縁が内径側環状壁１１３の外周面から遠ざかり、ころ１１０の外径側端面１１０ｂの周縁が外径側環状壁１１２の内周面に近づく。
このことから、例えば、保持器１１１の柱部１１５の径方向中間部の抜止突部１１７が下側、径方向両端部の抜止突部１１９が上側にある状態において、ころ１１０の内径側端面１１０ａが斜め下向きをなす方向に傾き易くなる。
このため、保持器１１１の各ポケット１２０にころ１１０が保持された状態において、保持器１１１を運搬したり、あるいは、スラストころ軸受を組み付ける際に、図７に示すように、ころ１１０に外力が作用してころ１１０の内径側端面１１０ａが斜め下向きをなす方向に傾くことがある。この場合、ころ１１０に作用する外力が大きいと、径方向中間部の抜止突部１１７による係合力に抗してころ１１０が過大に傾き、ポケット１２０から不測に脱落する恐れがある。
【０００４】
この発明の目的は、前記問題点に鑑み、ころの傾きを規制してポケットからころが脱落する不具合を防止することができるスラストころ軸受を提供することである。
【課題を解決するための手段】
【０００５】
前記目的を達成するために、この発明の請求項１に係るスラストころ軸受は、外径側環状壁と、内径側環状壁と、これら両環状壁の周方向に所定間隔を隔てて掛け渡された複数の柱部と、前記隣接する柱部の間に形成されたポケットと、前記隣接する柱部の相対する面から前記ポケット内に向けて突出された抜止突部と、を備えて保持器が構成され、前記各ポケット内にころが前記抜止突部によって係止された状態で回転可能に保持されたスラストころ軸受であって、
前記外径側環状壁の内周面と前記ポケットの外径側端面との間の距離寸法よりも前記内径側環状壁の外周面と前記ポケットの内径側端面との間の距離寸法が小さく設定されることによって、前記ころの傾きを前記内径側環状壁によって規制する構成にしてあることを特徴とする。
【０００６】
前記構成によると、保持器の各ポケットにころが保持された状態において、保持器を運搬したり、あるいは、スラストころ軸受を組み付ける際に、ころに外力が作用して傾いたときには、ころの内径側端面の周縁が内径側環状壁の外周面に当たることで、これ以上のころの傾きを規制することができる。このため、ころが過大に傾いてポケットから不測に脱落する不具合を良好に防止することができる。
【発明を実施するための最良の形態】
【０００７】
次に、この発明を実施するための最良の形態を実施例にしたがって説明する。
【実施例】
【０００８】
（実施例１）
この発明の実施例１を図面にしたがって説明する。
図１はこの発明の実施例１に係るスラストころ軸受が斜板式圧縮機に組み付けられた状態を示す縦断面図である。図２は保持器を拡大して示す断面図である。図３は保持器のポケットを示す平面図である。図４は保持器の一部を破断して示す斜視図である。
【０００９】
図１に示すように、斜板式圧縮機１は、軸方向に分割可能に結合された二つのシリンダ２、３に跨って単一のピストン４が組み付けられ、これら二つのシリンダ２、３のボス部２ａ、３ａに、斜板６がトルク伝達可能に連結された軸５が回転可能に支持されている。そして、斜板６とピストン４が係合した状態で、軸５と共に斜板６が所定方向に回転されることで、ピストン４が往復動されるようになっている。
また、二つのシリンダ２、３のボス部２ａ、３ａと斜板６のボス部６ａとの間に、二つのスラストころ軸受（スラスト針状ころ軸受）７がそれぞれ配設されている。
【００１０】
スラストころ軸受７は、二つのシリンダ２、３のボス部２ａ（又は３ａ）の端面と、この端面に相対する斜板６のボス部６ａの端面とに対向状に配置される一対の軌道輪８、９と、これら一対の軌道輪８、９の間に介装される複数のころ（針状ころ）１０と、これらころ１０を円周方向に所定間隔を隔てて保持する保持器１１とを備えて構成されている。
【００１１】
図２〜図４に示すように、保持器１１は、外径側環状壁１２と、内径側環状壁１３と、これら両環状壁１２、１３の周方向に所定間隔を隔てて掛け渡された複数の柱部１５とを備えて断面略Ｍ字状に形成されている。
また、隣接する柱部１５の間にはポケット２０が形成され、隣接する柱部１５の相対する面の径方向中間部には、ポケット２０内に向けて対向状に突出する抜止突部１７がそれぞれ突出され、隣接する柱部１５の相対する面の径方向両端部にもポケット２０内に向けて対向状に突出する抜止突部１９がそれぞれ突出されている。
【００１２】
保持器１１の各ポケット２０内には各抜止突部１７、１９によって係止された状態でころ１０が回転可能に組み込まれている。そして、ポケット２０内にころ１０が組み付けられた状態において、ポケット２０から軸方向一方へのころ１０の抜け出しが径方向中間部の抜止突部１７によって防止され、ポケット２０から軸方向他方へのころ１０の抜け出しが径方向両端部の抜止突部１９によって防止されるようになっている。
また、前記したように構成される保持器１１は、鋼板のプレス加工によって一体に形成され、このプレス加工と同時に、又はプレス加工後、各ポケット２０が打ち抜かれこれと同時に各抜止突部１７、１９が形成される。
【００１３】
図２と図３に示すように、保持器１１の中心とポケット２０の中心線を結ぶ線Ｌ上において、外径側環状壁１２の内周面とポケット２０の外径側端面２１との間の距離寸法Ａよりも内径側環状壁１３の外周面とポケット２０の内径側端面２２との間の距離寸法Ｂが小さく設定されている。これによって、ころ１０の傾きを内径側環状壁１３によって規制するようになっている。
この実施例１においては、例えば、外径側環状壁１２の内周面の直径寸法が３２．８ｍｍであり、内径側環状壁１３の外周面の直径寸法が２１．１ｍｍである場合に、距離寸法Ａが０．３ｍｍに設定され、距離寸法Ｂが０．２ｍｍに設定されている。そして、距離寸法Ａよりも距離寸法Ａが０．１ｍｍだけ小さく設定されている。
ちなみに、図５〜図７に示す従来のものにおいては、外径側環状壁１１２の内周面の直径寸法が３２．８ｍｍであり、内径側環状壁１１３の外周面の直径寸法が２１．１ｍｍである場合に、距離寸法Ａ’及び距離寸法Ｂ’が共に０．３ｍｍに設定されている。
【００１４】
この実施例１に係るスラストころ軸受は上述したように構成される。
したがって、保持器１１の各ポケット２０にころ１０がそれぞれ保持された状態において、保持器１１を運搬したり、あるいは、スラストころ軸受７を斜板式圧縮機１に組み付ける際に、保持器１１のころ１０に外力が作用して傾いたときには、そのころ１０の傾きが内径側環状壁１３によって規制される。
例えば、保持器１１の柱部１５の径方向中間部の抜止突部１７が下側、径方向両端部の抜止突部１９が上側にある状態において、ころ１０に外力が作用してころ１０の内径側端面１０ａが斜め下向きをなす方向に傾くと、ころ１０の内径側端面１０ａの周縁が内径側環状壁１３の外周面に当たり、これ以上のころ１０の傾きが規制される。
このようにして、ころ１０の傾きを規制することによって、ころ１０が径方向中間部の抜止突部１７の係合力に抗して過大に傾くことを防止することができる。ひいては、ポケット２０からころ１０が不測に脱落する不具合を良好に防止することができ、組付性の向上を図ることができる。
【００１５】
なお、この発明は前記実施例１に限定するものではない。
例えば、前記実施例１においては、スラストころ軸受が斜板式圧縮機に用いられた場合を例示したが、スラスト荷重を受ける各種回転体の軸受として用いることができる。
【図面の簡単な説明】
【００１６】
【図１】この発明の実施例１に係るスラストころ軸受が斜板式圧縮機に組み付けられた状態を示す縦断面図である。
【図２】同じく保持器を示す断面図である。
【図３】同じく保持器のポケットを示す平面図である。
【図４】同じく保持器の一部を破断して示す斜視図である。
【図５】従来の保持器を示す断面図である。
【図６】同じく保持器のポケットを示す平面図である。
【図７】同じく保持器のポケットに保持されたころが傾いた状態を示す説明図である。
【符号の説明】
【００１７】
７  スラストころ軸受
８、９  軌道輪
１０  ころ
１１  保持器
１２  外径側環状壁
１３  内径側環状壁
１５  柱部
１７、１９  抜止突部
２０  ポケット
２１  外径側端面
２２  内径側端面
【図１】
2008115931.tif 000003
【図２】
2008115931.tif 000004
【図３】
2008115931.tif 000005
【図４】
2008115931.tif 000006
【図５】
2008115931.tif 000007
【図６】
2008115931.tif 000008
【図７】
2008115931.tif 000009